(57)【特許請求の範囲】
【請求項１】
天面から洗い場排水が流入する流入室と、排出管に連通する流出室と、流入室と流出室とを連通させる連通部を有し、少なくとも連通部には封水が溜められる構造をなし、前記流入室の側面に、浴槽排水が流入する流入口を設けるとともに、前記浴槽排水により前記流入室内に渦流を発生させる渦流発生手段を設けた排水トラップであって、
前記流入室が平面視略円形状であり、前記流入口は横長状であり、
前記渦流発生手段が、前記浴槽排水が前記流入室の内周面に沿って同一回転方向に流入するように開口された２以上の流入口と、前記内周面とで
構成されていることを特徴とする排水トラップ。
【請求項２】
前記各流入口の開口面積がほぼ同一に設定されていることを特徴とする請求項１に記載の排水トラップ。
【請求項３】
前記渦流の抵抗となる抵抗壁を設けたことを特徴とする請求項１または請求項２に記載の排水トラップ。
【請求項４】
請求項１に記載の排水トラップ内へ浴槽から浴槽排水を排水する方法であって、
前記２以上の流入口から同時に浴槽排水を流入室内へ流入させること
を特徴とする排水トラップへの排水方法。
【請求項５】
前記各流入口から、それぞれ均等の量の浴槽排水を流入室内へ流入させることを特徴とする請求項４に記載の排水トラップへの排水方法。
【発明の詳細な説明】
【技術分野】
【０００１】
本発明は、浴槽排水が流入される排水トラップ及び浴槽側から排水トラップへの浴槽排水の排水方法に関するものである。
【背景技術】
【０００２】
従来、特許文献１に開示されているように、浴槽からの浴槽排水を、排水トラップの縦長状に形成された浴槽排水流入口から流入室内に流入させて、流入室内で渦流を発生させるように構成した排水トラップが存在する。
また、特許文献２に開示されているように、複数の排水経路が合流する排水トラップの合流管を、トラップの筒体に偏心させて接続した構造の排水トラップが存在する。
【特許文献１】特許第３８８６０５５号公報
【特許文献２】特開平５−９９６５号公報
【発明の開示】
【発明が解決しようとする課題】
【０００３】
上記特許文献１に開示されている排水トラップでは、流入室内に十分な量の浴槽排水を流入させるために排水トラップ全体を縦長にしているが、縦長の排水トラップでは、防水パンの底側に設置しにくい場合もあり、そのために排水トラップの上下高さを低く設計しようとすると、流入室内への浴槽排水の十分な流入量が得られず、流入室内での渦の発生が弱くなるという問題点があった。
また、上記特許文献２に開示されている排水トラップでは、２つ以上の合流管に接続される排水発生源は別々であり、２つ以上の合流管より同時に流入することで発生する強い渦を積極的に作り出す構成ではない。
【課題を解決するための手段】
【０００４】
本発明は、浴槽側からの浴槽排水を流入室内で強い渦流にすることのできる排水トラップ及び排水トラップへの排水方法を提供することを目的の１つとし、この目的の少なくとも一部を達成するために以下の手段を採った。
本発明は、天面から洗い場排水が流入する流入室と、排出管に連通する流出室と、流入室と流出室とを連通させる連通部を有し、少なくとも連通部には封水が溜められる構造をなし、前記流入室の側面に、浴槽排水が流入する流入口を設けるとともに、前記浴槽排水により前記流入室内に渦流を発生させる渦流発生手段を設けた排水トラップであって、
前記流入室が平面視略円形状であり、前記流入口は横長状であり、
前記渦流発生手段が、前記浴槽排水が前記流入室の内周面に沿って同一回転方向に流入するように開口された２以上の流入口と、前記内周面とで
構成されていることを要旨とする。
【発明の効果】
【０００５】
本発明の排水トラップでは、２以上の流入口から浴槽排水が流入室の内周面に沿って同一回転方向に流入して、平面視略円形状の内周面に沿って旋回し、流入口室内で渦流ができやすく、できた渦流が強いものとなる。
【０００６】
また、上記排水トラップにおいて、前記各流入口の開口面積がほぼ同一に設定されている構成とすることもできる。
こうすれば、同一の開口面積を有する２以上の流入口から均一の量の浴槽排水を流入室内に入れることで、流入室内で渦流が生じやすいものとなる。
【０００７】
また、上記排水トラップにおいて、前記渦流の抵抗となる抵抗壁を設けた構成とすることもできる。
こうすれば、抵抗壁によって上方へ押し上げられた水流により渦水位が上昇する。また、上昇した水塊はそれ自体の重力（ヘッド）により降下し、速い流速で下方側に排水される。その結果、渦に伴った下向きの排水流れにより強い渦流が発生する。
【０００８】
また、本発明の排水トラップへの排水方法は、請求項１に記載の排水トラップ内へ浴槽から浴槽排水を排水する方法であって、前記２以上の流入口から同時に浴槽排水を流入室内へ流入させることを要旨とする。
これにより、２以上の流入口から同時に浴槽排水を流入室内へ流入させることで、流入室内で渦ができやすいものとなり、強い渦流となる。
【０００９】
また、上記排水トラップへの排水方法において、前記各流入口から、それぞれ均等の量の浴槽排水を流入室内へ流入させる構成とすることもできる。
こうすれば、各流入口から均等の量の浴槽排水が流入室内へ流入されて、流入室内で渦流が生じやすいものとなる。
【発明を実施するための最良の形態】
【００１０】
次に、本発明を実施するための最良の形態を実施例を用いて説明する。
【実施例１】
【００１１】
図１〜図７は第１実施例を示すものであり、図１は、排水トラップの設置位置を示す浴室の構成図、図２は、排水トラップの平面図、図３は、図２の流出口側から見た正面図である。
また図４は、図３のＤ−Ｄ線断面図であり、図５は、図３のＡ−Ａ線断面図である。
また図６は、図２のＣ−Ｃ線断面図である。さらに図７は、図４に対応した斜視構成図である。
【００１２】
図１に示すように、浴室１は、洗い場パン２と浴槽３間にエプロン４が立設されており、エプロン４側の洗い場パン２には目皿５が設けられ、この目皿５の下方に排水枡６が配置され、その下方に排水トラップ７が連結されている。
この排水トラップ７には、浴槽３の底面に設けられている排水栓３ａと、排水トラップ７を繋ぐ排水パイプ８が接続され、また、排水トラップ７の出口側には排出管９が接続されている。
従って、浴槽３の排水栓３ａが開かれると、排水パイプ８を通り浴槽３内の浴槽水が排水トラップ７内に流入されて、排出管９から下水管に排出されるものである。
【００１３】
この排水トラップ７内には、図５に示すように、排水パイプ８側に連通する流入室Ｒ１と、排出管９側に連通する流出室Ｒ２が形成されており、流入室Ｒ１と流出室Ｒ２の下端側が略水平な連通路Ｒ３で連通されて構成されている。
流入室Ｒ１は、縦筒状の立上筒部１０を上部に備えており、この立上筒部１０の上端は排水枡６に連結されるものであり、上端は洗い場排水が流入する洗い場排水流入開口１０ａとなっている。この立上筒部１０内には図示しないヘアキャッチャーが着脱可能に収納されるものである。
【００１４】
また、立上筒部１０の下端には、水平方向に拡径して平面視円形状の円形壁１１が形成されている。この円形壁１１の内側はガイド通路Ｓとなっており、このガイド通路Ｓの内側に、平面視円形状で上方へ向かって立ち上がるガイド壁１２が形成されており、ガイド壁１２の上端は円形壁１１の上端よりも更に上方に位置している。このガイド壁１２には左右対向した位置に、横長状に切り欠いて流入口１２ａ，１２ｂが開口形成されている。
【００１５】
この立ち上がったガイド壁１２の外周と前記円形壁１１の内周間に、排水が流れる前記ガイド通路Ｓが平面視円形状に形成されており、ガイド通路Ｓの上流端には、円形壁１１の内周面の接線方向に開口された導入口１４と、その先端に、排水パイプ８を接続する排水パイプ接続部１５が、円形壁１１の側面に形成されている。
【００１６】
また、図４に示すように、ガイド通路Ｓの下流端、即ち右側の流入口１２ｂを過ぎたあたりに閉止壁１６ｂが立ち上げ形成されて、ガイド通路Ｓがこの閉止壁１６ｂで閉止されている。また、導入口１４の内側付近にも閉止壁１６ａが立ち上げ形成されており、閉止壁１６ａと閉止壁１６ｂ間は全て閉止された部分となっている。
【００１７】
図５および図６に示すように、ガイド壁１２の下端側、即ち流入口１２ａ，１２ｂの下方側に、内側へ水平に延びて水平段部１３が形成されており、この水平段部１３の内端から下方へ凹ませて前記連通路Ｒ３の上流端が一体形成されており、この連通路Ｒ３の底側が底面１７となっており、連通路Ｒ３の上面は上面１８となっている。この底面１７に向かって流入室Ｒ１から連通路Ｒ３内に円筒状の垂下筒２３が垂設されており、この垂下筒２３の下端が、連通路Ｒ３内に溜められる封水Ｗの上面となるものである。
【００１８】
また、連通路Ｒ３の下流端には、上方へ立ち上げて立上エルボ部１９が形成され、この立上エルボ部１９の上端に水平方向に一体状に突出して流出口２０が形成され、この流出口２０に前述した排出管９が接続されるものである。なお、立上エルボ部１９の内部が流出室Ｒ２を形成している。
【００１９】
なお、流入室Ｒ１は前述した水平段部１３の上側部分であり、この流入室Ｒ１の内周面は平面視円形状の前記ガイド壁１２の内周面１２ｐで構成されており、この流入室Ｒ１の内周面１２ｐに沿って同一回転方向に前述した左右２つの流入口１２ａ，１２ｂから浴槽水が流入室Ｒ１内、即ちガイド壁１２の内周側に流入される。なお、左右の流入口１２ａ，１２ｂは、それぞれ横長状で開口面積は同一のものに設定されている。また、左右の流入口１２ａ，１２ｂは水平段部１３の僅かな上方位置に開口されている。
【００２０】
次に、浴槽３の排水栓３ａが開かれた時の浴槽排水の流入状態を説明する。
排水栓３ａが開かれると、浴槽３内の浴槽水は排水パイプ８を通り、一気に排水トラップ７の導入口１４からガイド通路Ｓ内に流入される。このガイド通路Ｓは、円形状の円形壁１１の内周側に形成されているため、円形壁１１の円形状の内周に沿って浴槽水はガイド通路Ｓ内を円形状に流入し、流入口１２ａからガイド壁１２の円形状の内周面１２ｐに沿って反時計回りに流入室Ｒ１内に流入することとなる。
【００２１】
また、反対側の流入口１２ｂからも反時計回りに内周面１２ｐに沿って流入室Ｒ１内に同時に浴槽排水が流入されることとなり、流入口１２ａ，１２ｂは、それぞれ開口面積が同一に設定されているため、この２つの流入口１２ａ，１２ｂからそれぞれ均等の量の浴槽排水が内周面１２ｐに沿って同一回転方向に勢いよく流入することとなり、これにより流入室Ｒ１内に渦流が発生する。
【００２２】
この渦流は水平段部１３上を旋回し、ガイド壁１２の円形状の内周面１２ｐに沿って強い渦となる。大量の浴槽排水が流入され続けることにより、発生した渦流は次第に上昇し、立上筒部１０内に配置されている図示しないヘアキャッチャーにも渦流が作用して、ヘアキャッチャーに付着しているゴミや髪の毛等を渦流により剥ぎ取り、やがて次第に立上筒部１０内の水位が下がることで、ヘアキャッチャー内の中央部に髪の毛等は集められて、ヘアキャッチャーの底中央部に溜められることとなる。なお、排水は連通路Ｒ３から流出室Ｒ２を通り、流出口２０から排出管９に排出されてゆく。
このように流入室Ｒ１内で強い渦流を発生させることができ、渦流によりヘアキャッチャーに付着している髪の毛等を中央部に集めることができるとともに、流入室Ｒ１内部のぬめり等を良好に渦流で取ることができるものとなる。
【００２３】
なお、図８は、第１実施例の変更例を示す図７に対応させた斜視構成図であり、この図８に示す変更例では、閉止壁１６ａ，１６ｂを無くして、ガイド通路Ｓを円形壁１１の内周とガイド壁１２の外周間に全周に亘り形成したものである。
このように、ガイド通路Ｓがガイド壁１２の外側全周に形成されている構造では、導入口１４から勢いよくガイド通路Ｓ内に流入される浴槽排水は、ガイド通路Ｓ内を旋回し、流入口１２ａ及び１２ｂから流入室Ｒ１内に流入されるものとなる。
【実施例２】
【００２４】
次に、第２実施例を図９，図１０，図１１，図１２に示す。
図９は、第２実施例の排水トラップの平面構成図であり、図１１は、第１実施例の図４に対応する流入室を水平面内で切断した断面構成図である。また図１２は、第１実施例の図５に対応する断面で切断した断面構成図である。
【００２５】
第２実施例の排水トラップでは、ガイド壁１２の内側の流入室Ｒ１を構成する水平段部１３上に、上方へ湾曲状に立ち上げて抵抗壁２１を形成させたものであり、ガイド壁１２の内側で水平段部１３上を旋回する渦流が、この抵抗壁２１に当たることで、上側への押し上げ力が作用するように構成したものである。
なお、抵抗壁２１は、流入口１２ａ，１２ｂの下方から流入口１２ａ，１２ｂの上方まで延伸する高さを有するものであっても良い。
抵抗壁２１を設けた以外の構成は、第１実施例のものと同様であり、第１実施例と同一部材については同一符号を付して、その説明を省略する。
【００２６】
なお、図１０は、抵抗壁２１を有する排水トラップ７の縦断面斜視構成図であり、図１０では、立上筒部１０内にヘアキャッチャー２５が着脱可能に取り付けられた状態を示す。
ヘアキャッチャー２５は、立上筒部１０に上方よりフランジ２４を嵌め込み、このフランジ２４に上方から着脱可能に取り付けられるものであり、ヘアキャッチャー２５には上方へ立ち上げて手で持つことのできる取っ手２５ａが形成されており、この取っ手２５ａを持ちヘアキャッチャー２５を着脱することができるものである。
【００２７】
次に、抵抗壁２１の作用を説明する。
浴槽水が左右の流入口１２ａ，１２ｂからガイド壁１２の内周面１２ｐに沿って流入され、流入室Ｒ１内で発生された渦流は水平段部１３上を旋回するが、この水平段部１３上に立ち上げ状に形成されている抵抗壁２１に渦流が当たると、抵抗壁２１によって上方へ押し上げられた水流により、渦水位が立上筒部１０内に上昇し、立上筒部１０の内周面で旋回して、ぬめり等を除去することができるものとなる。
上昇した水塊はそれ自体の重力（ヘッド）により、垂下筒２３内をより速い流速で通過し、下方の連通路Ｒ３側へ押し下げられ、連通路Ｒ３内から流出室Ｒ２を通り、排水は流出口２０から早く排水されてゆき、排水速度を速めることができるものとなり、同時に排水枡６から洗い場２側へ排水が溢れることが防がれることとなる。
なお、渦に伴った垂下筒２３に向かう下向きの排水流れにより強い渦流が発生することとなる。
【実施例３】
【００２８】
次に、図１３には第３実施例の概略平面構成図を示す。
図１３の排水トラップ７では、天面から垂設された湾曲状の遮蔽部材２２により、流入室Ｒ１と流出室Ｒ２が区画形成されており、遮蔽部材２２の下端に、流入室Ｒ１と流出室Ｒ２を連通させる連通路Ｒ３が形成されたものである。
【００２９】
本例の排水トラップの流入室Ｒ１は、内周面１１ａと遮蔽部材２２により平面視略円形状に形成されており、内周面１１ａの側面の対向する位置に、２つの浴槽排水流入口１２ａ，１２ｂが形成されている。
この各流入口１２ａ，１２ｂは、同一断面積に形成されて、それぞれ内周面１１ａおよび遮蔽部材２２の内周の接線方向を向いており、内周面１１ａおよび遮蔽部材２２に沿って同一回転方向に流入室Ｒ１内に浴槽排水が流入されるように開口されたものである。
浴槽３側から一気に浴槽排水がこの２個の流入口１２ａ，１２ｂから同時に流入室Ｒ１内に流入されると、浴槽排水は内周面１１ａおよび遮蔽部材２２の内周に沿って旋回し、内部で反時計回りの強力な渦流が発生されることとなり、渦流により内部のぬめり及び上方に設置される図示しないヘアキャッチャーに付着する髪の毛等を良好に中央に集めることができるものである。
【００３０】
なお、本例では、各流入口１２ａ，１２ｂにそれぞれ排水パイプ８が接続されて、浴槽３の排水栓１３が開かれた時にそれぞれの排水パイプ８を通り、同時に流入口１２ａ，１２ｂに浴槽排水が流入されるように構成しておくことができる。
【図面の簡単な説明】
【００３１】
【図１】洗い場パンの底側に排水トラップを設けた浴室の概略斜視構成図である。
【図２】排水トラップの平面構成図である。
【図３】図２の流出口側から見た排水トラップの正面構成図である。
【図４】図３のＤ−Ｄ線断面構成図である。
【図５】図３のＡ−Ａ線断面構成図である。
【図６】図２のＣ−Ｃ線断面構成図である。
【図７】図４に対応した断面の斜視構成図である。
【図８】第１実施例の変更例を示す図７に対応させた斜視構成図である。
【図９】第２実施例の排水トラップの平面構成図である。
【図１０】第２実施例の排水トラップにヘアキャッチャーを取り付けた状態の縦断面斜視構成図である。
【図１１】第２実施例の排水トラップの図４に対応した断面を示す断面構成図である。
【図１２】第２実施例の排水トラップの図５に対応した断面を示す断面構成図である。
【図１３】第３実施例の排水トラップの平面概略構成図である。
【符号の説明】
【００３２】
１  浴室
２  洗い場パン
３  浴槽
３ａ  排水栓
７  排水トラップ
８  排水パイプ
９  排出管
１０  立上筒部
１０ａ  洗い場排水流入開口
１１  円形壁
１２  ガイド壁
１２ａ，１２ｂ  流入口
１２ｐ  内周面
１３  水平段部
１４  導入口
１５  排水パイプ接続部
１６ａ，１６ｂ  閉止壁
１９  立上エルボ部
２０  流出口
２１  抵抗壁
２２  遮蔽部材
２４  フランジ
２５  ヘアキャッチャー
Ｒ１  流入室
Ｒ２  流出室
Ｒ３  連通路
Ｓ  ガイド通路
Ｗ  封水
【図１】
0005224772.tif 000002
【図２】
0005224772.tif 000003
【図３】
0005224772.tif 000004
【図４】
0005224772.tif 000005
【図５】
0005224772.tif 000006
【図６】
0005224772.tif 000007
【図７】
0005224772.tif 000008
【図８】
0005224772.tif 000009
【図９】
0005224772.tif 000010
【図１０】
0005224772.tif 000011
【図１１】
0005224772.tif 000012
【図１２】
0005224772.tif 000013
【図１３】
0005224772.tif 000014